【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
マルチビュービデオデータを復号する方法であって、
動きベクトル予測プロセスのための動きベクトル候補リストを決定することと、
前記動きベクトル予測プロセスのための視差ベクトル候補リストを決定することと、前記視差ベクトル候補リストは、空間視差ベクトル（ＳＤＶ）と、ビュー視差ベクトル（ＶＤＶ）と、時間視差ベクトル（ＴＤＶ）とを含む複数の視差ベクトルタイプから、少なくとも２つのタイプの視差ベクトルを含み、
前記動きベクトル予測プロセスを使用してビデオデータのブロックを復号するために、前記視差ベクトル候補リスト中の候補のうちの１つまたは複数を使用して前記動きベクトル予測プロセスを実行することと、
を備える方法。
【請求項２】
前記ＳＤＶは空間的に隣接するブロックの視差動きベクトルから導出され、前記ＴＤＶは時間的に隣接するブロックの視差動きベクトルから導出される、請求項１に記載の方法。
【請求項３】
前記視差ベクトル候補リストは、平滑化時間ビュー（ＳＴＶ：smooth temporal-view）視差ベクトルをさらに含む、請求項１に記載の方法。
【請求項４】
前記動きベクトル予測プロセスを使用してビデオデータの前記ブロックを復号することは、アドバンスト動きベクトル予測（ＡＭＶＰ）モードを使用してビデオデータの前記ブロックを復号することを備える、請求項１に記載の方法。
【請求項５】
前記動きベクトル予測プロセスを使用してビデオデータの前記ブロックを復号することは、マージモードを使用してビデオデータの前記ブロックを復号することを備える、請求項１に記載の方法。
【請求項６】
前記視差ベクトル候補リストを決定することは、優先プロセスを使用して前記視差ベクトル候補リストを決定することを備え、より高い優先度が割り当てられたすべての利用可能な視差ベクトルタイプは、比較的低い優先度が割り当てられた視差ベクトルタイプの前に、前記視差ベクトル候補リストの最大長に至るまで、前記視差ベクトル候補リストに追加される、請求項１に記載の方法。
【請求項７】
推定深度モードおよび精密深度モードのうちの１つを使用して、視差ベクトルの前記タイプのうちの少なくとも１つを決定することをさらに備え、
前記動きベクトル予測プロセスを使用してビデオデータの前記ブロックを復号することは、マージモードを使用してビデオデータの前記ブロックを復号することを備える、請求項１に記載の方法。
【請求項８】
前記動きベクトル予測プロセスはマージモードであり、前記方法は、
前記動きベクトル予測プロセスが前記視差ベクトル候補リストを使用して実行されるか、または前記動きベクトル候補リストを使用して実行されるかを示すフラグを受信すること、
をさらに備える、請求項１に記載の方法。
【請求項９】
前記動きベクトル予測プロセスはアドバンスト動きベクトル予測（ＡＭＶＰ）モードであり、前記方法は、
参照ピクチャインデックスを受信することと、
前記受信された参照インデックスに基づいて、前記視差ベクトル候補リストを用いて前記動きベクトル予測プロセスを実行すべきか、または前記動きベクトル候補リストを用いて前記動きベクトル予測プロセスを実行すべきかを決定することと、
をさらに備える、請求項１に記載の方法。
【請求項１０】
マルチビュービデオデータを符号化する方法であって、
動きベクトル予測プロセスのための動きベクトル候補リストを決定することと、
前記動き予測プロセスのための視差ベクトル候補リストを決定することと、前記視差ベクトル候補リストは、空間視差ベクトル（ＳＤＶ）と、ビュー視差ベクトル（ＶＤＶ）と、時間視差ベクトル（ＴＤＶ）とを含む複数の視差ベクトルタイプから、少なくとも２つのタイプの視差ベクトルを含み、
前記動きベクトル予測プロセスを使用してビデオデータのブロックを符号化するために、前記視差ベクトル候補リスト中の候補のうちの１つまたは複数を使用して前記動きベクトル予測プロセスを実行することと、
を備える方法。
【請求項１１】
前記動きベクトル予測プロセスはマージモードであり、前記方法は、
前記動きベクトル予測プロセスが前記視差ベクトル候補リストを使用して実行されるか、または前記動きベクトル候補リストを使用して実行されるかを示すフラグをシグナリングすること、
をさらに備える、請求項１０に記載の方法。
【請求項１２】
前記動きベクトル予測プロセスがアドバンスト動きベクトル予測（ＡＭＶＰ）モードであり、前記方法は、
前記視差ベクトル候補リストを用いて前記動きベクトル予測プロセスを実行すべきか、または前記動きベクトル候補リストを用いて前記動きベクトル予測プロセスを実行すべきかを示すための参照ピクチャインデックスをシグナリングすること、
をさらに備える、請求項１０に記載の方法。
【請求項１３】
マルチビュービデオデータを復号するように構成された装置であって、
動きベクトル予測プロセスのための動きベクトル候補リストを決定する手段と、
前記動きベクトル予測プロセスのための視差ベクトル候補リストを決定する手段と、前記視差ベクトル候補リストは、空間視差ベクトル（ＳＤＶ）と、ビュー視差ベクトル（ＶＤＶ）と、時間視差ベクトル（ＴＤＶ）とを含む複数の視差ベクトルタイプから、少なくとも２つのタイプの視差ベクトルを含み、
前記動きベクトル予測プロセスを使用してビデオデータのブロックを復号するために、前記視差ベクトル候補リスト中の候補のうちの１つまたは複数を使用して前記動きベクトル予測プロセスを実行する手段と、
を備える装置。
【請求項１４】
マルチビュービデオデータを符号化するように構成された装置であって、
動きベクトル予測プロセスのための動きベクトル候補リストを決定する手段と、
前記動き予測プロセスのための視差ベクトル候補リストを決定する手段と、前記視差ベクトル候補リストは、空間視差ベクトル（ＳＤＶ）と、ビュー視差ベクトル（ＶＤＶ）と、時間視差ベクトル（ＴＤＶ）とを含む複数の視差ベクトルタイプから、少なくとも２つのタイプの視差ベクトルを含み、
前記動きベクトル予測プロセスを使用してビデオデータのブロックを符号化するために、前記視差ベクトル候補リスト中の候補のうちの１つまたは複数を使用して前記動きベクトル予測プロセスを実行する手段と、
を備える装置。
【請求項１５】
実行されると、ビデオデータを復号するように構成されたデバイスの１つまたは複数のプロセッサに、請求項１〜９のいずれか１つに記載の方法を行わせる命令を記憶したコンピュータ可読記憶媒体。
【手続補正２】
【補正対象書類名】明細書
【補正対象項目名】０１７４
【補正方法】変更
【補正の内容】
【０１７４】
[0172]様々な例について説明した。これらおよび他の例は以下の特許請求の範囲内に入る。
以下に、本願出願の当初の特許請求の範囲に記載された発明を付記する。
［Ｃ１］
マルチビュービデオデータを復号する方法であって、
動きベクトル予測プロセスのための動きベクトル候補リストを決定することと、
前記動きベクトル予測プロセスのための視差ベクトル候補リストを決定することと、前記視差ベクトル候補リストは、空間視差ベクトル（ＳＤＶ）と、ビュー視差ベクトル（ＶＤＶ）と、時間視差ベクトル（ＴＤＶ）とを含む複数の視差ベクトルタイプから、少なくとも２つのタイプの視差ベクトルを含み、
前記動きベクトル予測プロセスを使用してビデオデータのブロックを復号するために、前記視差ベクトル候補リスト中の候補のうちの１つまたは複数を使用して前記動きベクトル予測プロセスを実行することと、
を備える方法。
［Ｃ２］
前記ＳＤＶは空間的に隣接するブロックの視差動きベクトルから導出され、前記ＴＤＶは時間的に隣接するブロックの視差動きベクトルから導出される、Ｃ１に記載の方法。
［Ｃ３］
前記視差ベクトル候補リストは、平滑化時間ビュー（ＳＴＶ：smooth temporal-view）視差ベクトルをさらに含む、Ｃ１に記載の方法。
［Ｃ４］
前記動きベクトル予測プロセスを使用してビデオデータの前記ブロックを復号することは、アドバンスト動きベクトル予測（ＡＭＶＰ）モードを使用してビデオデータの前記ブロックを復号することを備える、Ｃ１に記載の方法。
［Ｃ５］
前記動きベクトル予測プロセスを使用してビデオデータの前記ブロックを復号することは、マージモードを使用してビデオデータの前記ブロックを復号することを備える、Ｃ１に記載の方法。
［Ｃ６］
前記視差ベクトル候補リストを決定することは、優先プロセスを使用して前記視差ベクトル候補リストを決定することを備え、より高い優先度が割り当てられたすべての利用可能な視差ベクトルタイプは、比較的低い優先度が割り当てられた視差ベクトルタイプの前に、前記視差ベクトル候補リストの最大長に至るまで、前記視差ベクトル候補リストに追加される、Ｃ１に記載の方法。
［Ｃ７］
前記優先プロセスは前記ＳＤＶに最も高い優先度を割り当てる、Ｃ６に記載の方法。
［Ｃ８］
前記優先プロセスは、前記ＳＴＶ視差ベクトルに２番目に高い優先度を割り当て、前記ＶＤＶに３番目に高い優先度を割り当て、前記ＴＤＶに最も低い優先度を割り当てる、Ｃ７に記載の方法。
［Ｃ９］
推定深度モードおよび精密深度モードのうちの１つを使用して、視差ベクトルの前記タイプのうちの少なくとも１つを決定することをさらに備え、
前記動きベクトル予測プロセスを使用してビデオデータの前記ブロックを復号することは、マージモードを使用してビデオデータの前記ブロックを復号することを備える、Ｃ１に記載の方法。
［Ｃ１０］
前記動きベクトル予測プロセスはマージモードであり、前記方法は、
前記動きベクトル予測プロセスが前記視差ベクトル候補リストを使用して実行されるか、または前記動きベクトル候補リストを使用して実行されるかを示すフラグを受信すること、
をさらに備える、Ｃ１に記載の方法。
［Ｃ１１］
前記動きベクトル予測プロセスはアドバンスト動きベクトル予測（ＡＭＶＰ）モードであり、前記方法は、
参照ピクチャインデックスを受信することと、
前記受信された参照インデックスに基づいて、前記視差ベクトル候補リストを用いて前記動きベクトル予測プロセスを実行すべきか、または前記動きベクトル候補リストを用いて前記動きベクトル予測プロセスを実行すべきかを決定することと、
をさらに備える、Ｃ１に記載の方法。
［Ｃ１２］
マルチビュービデオデータを符号化する方法であって、
動きベクトル予測プロセスのための動きベクトル候補リストを決定することと、
前記動き予測プロセスのための視差ベクトル候補リストを決定することと、前記視差ベクトル候補リストは、空間視差ベクトル（ＳＤＶ）と、ビュー視差ベクトル（ＶＤＶ）と、時間視差ベクトル（ＴＤＶ）とを含む複数の視差ベクトルタイプから、少なくとも２つのタイプの視差ベクトルを含み、
前記動きベクトル予測プロセスを使用してビデオデータのブロックを符号化するために、前記視差ベクトル候補リスト中の候補のうちの１つまたは複数を使用して前記動きベクトル予測プロセスを実行することと、
を備える方法。
［Ｃ１３］
前記ＳＤＶは空間的に隣接するブロックの視差動きベクトルから導出され、前記ＴＤＶは時間的に隣接するブロックの視差動きベクトルから導出される、Ｃ１２に記載の方法。
［Ｃ１４］
前記視差ベクトル候補リストは、平滑化時間ビュー（ＳＴＶ：smooth temporal-view）視差ベクトルをさらに含む、Ｃ１２に記載の方法。
［Ｃ１５］
前記動きベクトル予測プロセスを使用してビデオデータの前記ブロックを符号化することは、アドバンスト動きベクトル予測（ＡＭＶＰ）モードを使用してビデオデータの前記ブロックを符号化することを備える、Ｃ１２に記載の方法。
［Ｃ１６］
前記動きベクトル予測プロセスを使用してビデオデータの前記ブロックを符号化することは、マージモードを使用してビデオデータの前記ブロックを符号化することを備える、Ｃ１２に記載の方法。
［Ｃ１７］
前記視差ベクトル候補リストを決定することは、優先プロセスを使用して前記視差ベクトル候補リストを決定することを備え、より高い優先度が割り当てられたすべての利用可能な視差ベクトルタイプは、比較的低い優先度が割り当てられた視差ベクトルタイプの前に、前記視差ベクトル候補リストの最大長に至るまで、前記視差ベクトル候補リストに追加される、Ｃ１２に記載の方法。
［Ｃ１８］
前記優先プロセスは前記ＳＤＶに最も高い優先度を割り当てる、Ｃ１７に記載の方法。
［Ｃ１９］
前記優先プロセスは、前記ＳＴＶ視差ベクトルに２番目に高い優先度を割り当て、前記ＶＤＶに３番目に高い優先度を割り当て、前記ＴＤＶに最も低い優先度を割り当てる、Ｃ１８に記載の方法。
［Ｃ２０］
推定深度モードおよび精密深度モードのうちの１つを使用して、視差ベクトルの前記タイプのうちの少なくとも１つを決定することをさらに備え、
前記動きベクトル予測プロセスを使用してビデオデータの前記ブロックを符号化することは、マージモードを使用してビデオデータの前記ブロックを符号化することを備える、Ｃ１２に記載の方法。
［Ｃ２１］
前記動きベクトル予測プロセスはマージモードであり、前記方法は、
前記動きベクトル予測プロセスが前記視差ベクトル候補リストを使用して実行されるか、または前記動きベクトル候補リストを使用して実行されるかを示すフラグをシグナリングすること、
をさらに備える、Ｃ１２に記載の方法。
［Ｃ２２］
前記動きベクトル予測プロセスがアドバンスト動きベクトル予測（ＡＭＶＰ）モードであり、前記方法は、
前記視差ベクトル候補リストを用いて前記動きベクトル予測プロセスを実行すべきか、または前記動きベクトル候補リストを用いて前記動きベクトル予測プロセスを実行すべきかを示すための参照ピクチャインデックスをシグナリングすること、
をさらに備える、Ｃ１２に記載の方法。
［Ｃ２３］
マルチビュービデオデータを復号するように構成された装置であって、
動きベクトル予測プロセスのための動きベクトル候補リストを決定することと、
前記動きベクトル予測プロセスのための視差ベクトル候補リストを決定することと、前記視差ベクトル候補リストは、空間視差ベクトル（ＳＤＶ）と、ビュー視差ベクトル（ＶＤＶ）と、時間視差ベクトル（ＴＤＶ）とを含む複数の視差ベクトルタイプから、少なくとも２つのタイプの視差ベクトルを含み、
前記動きベクトル予測プロセスを使用してビデオデータのブロックを復号するために、前記視差ベクトル候補リスト中の候補のうちの１つまたは複数を使用して前記動きベクトル予測プロセスを実行することと、
を行うように構成されたビデオデコーダ
を備える装置。
［Ｃ２４］
前記ＳＤＶは空間的に隣接するブロックの視差動きベクトルから導出され、前記ＴＤＶは時間的に隣接するブロックの視差動きベクトルから導出される、Ｃ２３に記載の装置。
［Ｃ２５］
前記視差ベクトル候補リストは、平滑化時間ビュー（ＳＴＶ：smooth temporal-view）視差ベクトルをさらに含む、Ｃ２３に記載の装置。
［Ｃ２６］
前記ビデオデコーダは、アドバンスト動きベクトル予測（ＡＭＶＰ）モードを使用してビデオデータの前記ブロックを復号することによって、前記動きベクトル予測プロセスを使用してビデオデータの前記ブロックを復号するように構成される、Ｃ２３に記載の装置。
［Ｃ２７］
前記ビデオデコーダは、マージモードを使用してビデオデータの前記ブロックを復号することによって、前記動きベクトル予測プロセスを使用してビデオデータの前記ブロックを復号するように構成される、Ｃ２３に記載の装置。
［Ｃ２８］
前記ビデオデコーダは、優先プロセスを使用することによって、前記視差ベクトル候補リストを決定するように構成され、より高い優先度が割り当てられたすべての利用可能な視差ベクトルタイプは、比較的低い優先度が割り当てられた視差ベクトルタイプの前に、前記視差ベクトル候補リストの最大長に至るまで、前記視差ベクトル候補リストに追加される、Ｃ２３に記載の装置。
［Ｃ２９］
前記優先プロセスは前記ＳＤＶに最も高い優先度を割り当てる、Ｃ２８に記載の装置。
［Ｃ３０］
前記優先プロセスは前記ＳＴＶ視差ベクトルに２番目に高い優先度を割り当て、前記ＶＤＶに３番目に高い優先度を割り当て、前記ＴＤＶに最も低い優先度を割り当てる、Ｃ２９に記載の装置。
［Ｃ３１］
前記ビデオデコーダは、
推定深度モードおよび精密深度モードのうちの１つを使用して、視差ベクトルの前記タイプのうちの少なくとも１つを決定することと、
マージモードを使用してビデオデータの前記ブロックを復号することと、
を行うようにさらに構成される、Ｃ２３に記載の装置。
［Ｃ３２］
前記動きベクトル予測プロセスはマージモードであり、前記ビデオデコーダは、
前記動きベクトル予測プロセスが前記視差ベクトル候補リストを使用して実行されるか、または前記動きベクトル候補リストを使用して実行されるかを示すフラグを受信するようにさらに構成される、Ｃ２３に記載の装置。
［Ｃ３３］
前記動きベクトル予測プロセスはアドバンスト動きベクトル予測（ＡＭＶＰ）モードであり、前記ビデオデコーダは、
参照ピクチャインデックスを受信することと、
前記受信された参照インデックスに基づいて、前記視差ベクトル候補リストを用いて前記動きベクトル予測プロセスを実行すべきか、または前記動きベクトル候補リストを用いて前記動きベクトル予測プロセスを実行すべきかを決定することと、
を行うようにさらに構成される、Ｃ２３に記載の装置。
［Ｃ３４］
マルチビュービデオデータを符号化するように構成された装置であって、
動きベクトル予測プロセスのための動きベクトル候補リストを決定することと、
前記動き予測プロセスのための視差ベクトル候補リストを決定することと、前記視差ベクトル候補リストは、空間視差ベクトル（ＳＤＶ）と、ビュー視差ベクトル（ＶＤＶ）と、時間視差ベクトル（ＴＤＶ）とを含む複数の視差ベクトルタイプから、少なくとも２つのタイプの視差ベクトルを含み、
前記動きベクトル予測プロセスを使用してビデオデータのブロックを符号化するために、前記視差ベクトル候補リスト中の候補のうちの１つまたは複数を使用して前記動きベクトル予測プロセスを実行することと、
を行うように構成されたビデオエンコーダ
を備える装置。
［Ｃ３５］
前記ＳＤＶは空間的に隣接するブロックの視差動きベクトルから導出され、前記ＴＤＶは時間的に隣接するブロックの視差動きベクトルから導出される、Ｃ３４に記載の装置。
［Ｃ３６］
前記視差ベクトル候補リストは、平滑化時間ビュー（ＳＴＶ：smooth temporal-view）視差ベクトルをさらに含む、Ｃ３４に記載の装置。
［Ｃ３７］
前記ビデオエンコーダは、アドバンスト動きベクトル予測（ＡＭＶＰ）モードを使用してビデオデータの前記ブロックを符号化することによって、前記動きベクトル予測プロセスを使用してビデオデータの前記ブロックを符号化するようにさらに構成される、Ｃ３４に記載の装置。
［Ｃ３８］
前記ビデオエンコーダは、マージモードを使用してビデオデータの前記ブロックを符号化することによって、前記動きベクトル予測プロセスを使用してビデオデータの前記ブロックを符号化するようにさらに構成される、Ｃ３４に記載の装置。
［Ｃ３９］
前記ビデオエンコーダは、優先プロセスを使用して前記視差ベクトル候補リストを決定することによって、前記視差ベクトル候補リストを決定するようにされに構成され、より高い優先度が割り当てられたすべての利用可能な視差ベクトルタイプは、比較的低い優先度が割り当てられた視差ベクトルタイプの前に、前記視差ベクトル候補リストの最大長に至るまで、前記視差ベクトル候補リストに追加される、Ｃ３４に記載の装置。
［Ｃ４０］
前記優先プロセスは前記ＳＤＶに最も高い優先度を割り当てる、Ｃ３９に記載の装置。
［Ｃ４１］
前記優先プロセスは、前記ＳＴＶ視差ベクトルに２番目に高い優先度を割り当て、前記ＶＤＶに３番目に高い優先度を割り当て、前記ＴＤＶに最も低い優先度を割り当てる、Ｃ４０に記載の装置。
［Ｃ４２］
前記ビデオエンコーダは、
推定深度モードおよび精密深度モードのうちの１つを使用して、視差ベクトルの前記タイプのうちの少なくとも１つを決定することと、
マージモードを使用してビデオデータの前記ブロックを符号化することと、
を行うようにさらに構成される、Ｃ３４に記載の装置。
［Ｃ４３］
前記動きベクトル予測プロセスはマージモードであり、前記ビデオエンコーダは、
前記動きベクトル予測プロセスが前記視差ベクトル候補リストを使用して実行されるか、または前記動きベクトル候補リストを使用して実行されるかを示すフラグをシグナリングする
ようにさらに構成される、Ｃ３４に記載の装置。
［Ｃ４４］
前記動きベクトル予測プロセスはアドバンスト動きベクトル予測（ＡＭＶＰ）モードであり、前記ビデオエンコーダは、
前記視差ベクトル候補リストを用いて前記動きベクトル予測プロセスを実行すべきか、または前記動きベクトル候補リストを用いて前記動きベクトル予測プロセスを実行すべきかを示すための参照ピクチャインデックスをシグナリングする
ようにさらに構成される、Ｃ３４に記載の装置。
［Ｃ４５］
マルチビュービデオデータを復号するように構成された装置であって、
動きベクトル予測プロセスのための動きベクトル候補リストを決定する手段と、
前記動きベクトル予測プロセスのための視差ベクトル候補リストを決定する手段と、前記視差ベクトル候補リストは、空間視差ベクトル（ＳＤＶ）と、ビュー視差ベクトル（ＶＤＶ）と、時間視差ベクトル（ＴＤＶ）とを含む複数の視差ベクトルタイプから、少なくとも２つのタイプの視差ベクトルを含み、
前記動きベクトル予測プロセスを使用してビデオデータのブロックを復号するために、前記視差ベクトル候補リスト中の候補のうちの１つまたは複数を使用して前記動きベクトル予測プロセスを実行する手段と、
を備える装置。
［Ｃ４６］
マルチビュービデオデータを符号化するように構成された装置であって、
動きベクトル予測プロセスのための動きベクトル候補リストを決定する手段と、
前記動き予測プロセスのための視差ベクトル候補リストを決定する手段と、前記視差ベクトル候補リストは、空間視差ベクトル（ＳＤＶ）と、ビュー視差ベクトル（ＶＤＶ）と、時間視差ベクトル（ＴＤＶ）とを含む複数の視差ベクトルタイプから、少なくとも２つのタイプの視差ベクトルを含み、
前記動きベクトル予測プロセスを使用してビデオデータのブロックを符号化するために、前記視差ベクトル候補リスト中の候補のうちの１つまたは複数を使用して前記動きベクトル予測プロセスを実行する手段と、
を備える装置。
［Ｃ４７］
実行されると、ビデオデータを復号するように構成されたデバイスの１つまたは複数のプロセッサに、
動きベクトル予測プロセスのための動きベクトル候補リストを決定させ、
前記動きベクトル予測プロセスのための視差ベクトル候補リストを決定させ、前記視差ベクトル候補リストが、空間視差ベクトル（ＳＤＶ）と、ビュー視差ベクトル（ＶＤＶ）と、時間視差ベクトル（ＴＤＶ）とを含む複数の視差ベクトルタイプから、少なくとも２つのタイプの視差ベクトルを含み、
前記動きベクトル予測プロセスを使用してビデオデータのブロックを復号するために、前記視差ベクトル候補リスト中の候補のうちの１つまたは複数を使用して前記動きベクトル予測プロセスを実行させる
命令を記憶したコンピュータ可読記憶媒体。
［Ｃ４８］
実行されると、ビデオデータを符号化するように構成されたデバイスの１つまたは複数のプロセッサに、
動きベクトル予測プロセスのための動きベクトル候補リストを決定させ、
前記動き予測プロセスのための視差ベクトル候補リストを決定させ、前記視差ベクトル候補リストは、空間視差ベクトル（ＳＤＶ）と、ビュー視差ベクトル（ＶＤＶ）と、時間視差ベクトル（ＴＤＶ）とを含む複数の視差ベクトルタイプから、少なくとも２つのタイプの視差ベクトルを含み、
前記動きベクトル予測プロセスを使用してビデオデータのブロックを符号化するために、前記視差ベクトル候補リスト中の候補のうちの１つまたは複数を使用して前記動きベクトル予測プロセスを実行させる、
命令を記憶したコンピュータ可読記憶媒体。